(57)【要約】【課題】本発明は、パネル設計の効率を極大化させるディスプレイパネル用ＬＣＭを提供する。【解決手段】前記ディスプレイパネル用ＬＣＭは、ピクセルアレイ、複数個のソースドライバーＩＣ及び複数個のゲートドライバーＩＣを具備する。前記複数個のソースドライバーＩＣは、前記ピクセルアレイの上部または下部に水平方向に配置される。前記複数個のゲートドライバーＩＣは、前記ピクセルアレイの左側または右側に垂直方向に配置される。前記複数個のゲートドライバーＩＣは、前記複数個のソースドライバーＩＣのうちでビデオデータ及びクロック信号(ＤＡＴＡ/ＣＬＫ)が最初に供給される側と反対になる側に配置される。
2011528812.tif 000002
【特許請求の範囲】
【請求項１】
ピクセルアレイ、
前記ピクセルアレイの上部または下部に水平方向に配置された複数個のソースドライバーＩＣ、及び
前記ピクセルアレイの左側または右側に垂直方向に配置された複数個のゲートドライバーＩＣを具備して、
前記複数個のゲートドライバーＩＣは、前記複数個のソースドライバーＩＣのうちでビデオデータ及びクロック信号(ＤＡＴＡ/ＣＬＫ)が最初に供給される側と反対になる側に配置されることを特徴とするディスプレイパネル用ＬＣＭ。
【請求項２】
前記複数個のソースドライバーＩＣ及び前記複数個のゲートドライバーＩＣに電源及びディスプレイと関連する信号を供給する少なくとも一つ以上のＦＰＣをさらに具備することを特徴とする請求項１に記載のディスプレイパネル用ＬＣＭ。
【請求項３】
前記ディスプレイと関連する信号を前記ＦＰＣに供給するタイミングコントローラーをさらに具備することを特徴とする請求項２に記載のディスプレイパネル用ＬＣＭ。
【請求項４】
前記電源及び前記ディスプレイと関連する信号は、ＬＯＧ(Line On Glass)を通じて伝達することを特徴とする請求項２または３に記載のディスプレイパネル用ＬＣＭ。
【発明の詳細な説明】
【技術分野】
【０００１】
本発明は、ディスプレイパネル用ＬＣＭに関するものであり、特に、パネル設計の効率を極大化させるディスプレイパネル用ＬＣＭに関するものである。
【背景技術】
【０００２】
図１は、従来のＣＯＧ形態のＬＣＭを示す。
【０００３】
図１を参照すれば、ＣＯＧ(Chip On Glass)形態のディスプレイパネル用ＬＣＭ(Liquid Crystal Module)は、ディスプレイパネル１２０、ＦＰＣ１３０及びタイミングコントローラー１４０を具備する。
【０００４】
ディスプレイパネル１２０は、ピクセルアレイ(PIXEL ARRAY)１１０、該ピクセルアレイ１１０を駆動するソースドライバーＩＣ(ＳＤ１〜ＳＤ８)及びゲートドライバーＩＣ(ＧＤ１、ＧＤ２)を具備する。ソースドライバーＩＣ(ＳＤ１〜ＳＤ８)にはソースドライバー用電源(ＰＳＤ)が、そしてゲートドライバーＩＣ(ＧＤ１、ＧＤ２)にはゲートドライバー用電源(ＰＧＤ)がＦＰＣ１３０からそれぞれ独立的に入力される。ピクセルアレイ１１０のディスプレイ関連信号(ＤＡＴＡ/ＣＬＫ、ＧＡＭ/ＣＯＮ、ＣＯＮ)のうちソースドライバーＩＣと関連する信号(ＤＡＴＡ/ＣＬＫ、ＧＡＭ/ＣＯＮ)は、タイミングコントローラー(Timing Controller)１４０及びＦＰＣ１３０を経由して、ディスプレイパネル１２０の下端部の左側の第１ソースドライバーＩＣ(ＳＤ１)から右側に連続して配列されたソースドライバーＩＣ(ＳＤ２〜ＳＤ８)を経由して、ピクセルアレイ(PIXEL ARRAY)１１０に印加される。ゲートドライバーＩＣと関連する信号(ＣＯＮ)は、ディスプレイパネル１２０の左側に配置されたゲートドライバーＩＣ(ＧＤ１、ＧＤ２)に印加されてピクセルアレイ１１０を駆動させる。
【０００５】
これをもうすこし具体的に説明すれば、ソースドライバーＩＣのビデオデータ(ＤＡＴＡ)及びソースドライバーＩＣのクロック信号(ＣＬＫ)は、第１ソースドライバーＩＣ(ＳＤ１)に印加される。第２ソースドライバーＩＣ(ＳＤ２)は、ビデオデータ及びクロック信号(ＤＡＴＡ/ＣＬＫ)をＦＰＣ１３０から直接受信して使用するものではなく、第１ソースドライバーＩＣ(ＳＤ１)から出力される信号を利用する。同じく、第３ソースドライバーＩＣ(ＳＤ３)のビデオデータ及びクロック信号(ＤＡＴＡ/ＣＬＫ)は前の第２ソースドライバーＩＣ(ＳＤ２)から出力される信号を利用する。すなわち、ソースドライバーＩＣの場合、タイミングコントローラー（ＴＣＯＮ）１４０及びＦＰＣ１３０を経由して第１ソースドライバーＩＣ(ＳＤ１)に入力されるビデオデータ及びクロック信号(ＤＡＴＡ/ＣＬＫ)はカスケード(Cascade)方式で直列に配列された複数個のソースドライバーＩＣ(ＳＤ１〜ＳＤ８)に伝達する。
【０００６】
ソースドライバーＩＣ(ＳＤ１〜ＳＤ８)と関連するガンマ信号(ＧＡＭ)及び制御信号(ＣＯＮ)は、複数個のソースドライバーＩＣ(ＳＤ１〜ＳＤ８)に直接並列で連結される。ゲートドライバーＩＣと関連する制御信号(ＣＯＮ)は、複数個のゲートドライバーＩＣ(ＧＤ１、ＧＤ２)にカスケード方式で供給される。
【０００７】
前述したようにピクセルアレイ１１０左側部の第１ソースドライバーＩＣ(ＳＤ１)からビデオデータ及びクロック信号(ＤＡＴＡ/ＣＬＫ)を受信して、ソースドライバーＩＣと連合してピクセルアレイを駆動するゲートドライバーＩＣもディスプレイパネルの左側に配置されているため、ソースドライバーＩＣとディスプレイパネルの角の間(点線楕円)には相当に多い数のＬＯＧ(Line On Glass)が存在する。
【０００８】
すなわち、図１を参照すれば、点線楕円部分にはソースドライバーＩＣ(ＳＤ１〜ＳＤ８)に印加されるビデオデータ及びクロック信号(ＤＡＴＡ/ＣＬＫ)のはｋ(ｋは整数)個のライン(line)、ガンマ信号及び制御信号(ＧＡＭ/ＣＯＮ)のｌ(ｌは整数)のライン、そしてゲートドライバーＩＣ(ＧＤ１、ＧＤ２)に印加される制御信号(ＣＯＮ)のｍ(ｍは整数)個のラインが並列でレイアウトされる。ＬＯＧタイプのメタルラインは一定する幅(width)を有するだけでなく、隣り合うメタルラインと電気的にお互いに分離するためにそれぞれのメタルラインの間には一定な間隔の空き空間が必要になる。
【０００９】
ＬＯＧタイプのメタルラインは、ディスプレイパネルの下端部に配置されたソースドライバーＩＣとＦＰＣとの間に配置されるが、前記のような理由で並列に進行されるメタルラインの数が多ければ多いほどディスプレイパネルシステムの全体面積を増加させる短所がある。
【発明の概要】
【発明が解決しようとする課題】
【００１０】
本発明が解決しようとする技術的課題は、パネル設計の効率を極大化させて、全体面積を減少させるためのディスプレイパネル用ＬＣＭ(Liquid Crystal Module)を提供することにある。
【課題を解決するための手段】
【００１１】
前記技術的課題を達成するための本発明によるディスプレイパネル用ＬＣＭは、ピクセルアレイ、複数個のソースドライバーＩＣ及び複数個のゲートドライバーＩＣを具備する。前記複数個のソースドライバーＩＣは、前記ピクセルアレイの上部または下部に水平方向に配置される。前記複数個のゲートドライバーＩＣは前記ピクセルアレイの左側または右側に垂直方向に配置される。前記複数個のゲートドライバーＩＣは、前記複数個のソースドライバーＩＣのうちでビデオデータ及びクロック信号(ＤＡＴＡ/ＣＬＫ)が最初に供給される側と反対になる側に配置される。
【発明の効果】
【００１２】
本発明は、ディスプレイパネル用ＬＣＭのパネル設計の効率を極大化させて、全体面積を減少させる長所がある。
【図面の簡単な説明】
【００１３】
【図１】従来のＣＯＧ形態のＬＣＭを示す。
【図２】本発明によるディスプレイパネル用ＬＣＭのレイアウトの一部分である。
【発明を実施するための形態】
【００１４】
以下、本発明の具体的な実施例を図面を参照して、詳しく説明する。
【００１５】
図２は、本発明によるディスプレイパネル用ＬＣＭのレイアウトの一部分である。
【００１６】
図２を参照すれば、ディスプレイパネル用ＬＣＭ２００は、ディスプレイパネル２２０、ＦＰＣ２３０、２４０及びタイミングコントローラー（ＴＣＯＮ）２５０を具備する。
【００１７】
ディスプレイパネル２２０には、ピクセルアレイ２１０、ピクセルアレイ２１０を駆動するソースドライバーＩＣ(ＳＤ１〜ＳＤ８)及びゲートドライバーＩＣ(ＧＤ１、ＧＤ２)を具備する。ソースドライバーＩＣ(ＳＤ１〜ＳＤ８)にはソースドライバー用電源(ＰＳＤ)が、そしてゲートドライバーＩＣ(ＧＤ１、ＧＤ２)にはゲートドライバー用電源(ＰＧＤ)がＦＰＣ１３０からそれぞれ独立的に入力される。ピクセルアレイ２１０のディスプレイ関連信号(ＤＡＴＡ/ＣＬＫ、ＧＡＭ/ＣＯＮ、ＣＯＮ)のうちソースドライバーＩＣと関連する信号(ＤＡＴＡ/ＣＬＫ、ＧＡＭ/ＣＯＮ)は、タイミングコントローラー２４０及びＦＰＣ１３０を経由して、ディスプレイパネル２２０の下端部の左側の第１ソースドライバーＩＣ(ＳＤ１)から右側に連続して配列されたソースドライバーＩＣ(ＳＤ２〜ＳＤ８)を経由してピクセルアレイ(PIXEL ARRAY)１１０に印加される。ゲートドライバーＩＣと関連する信号(ＣＯＮ)は、ディスプレイパネル２２０の右側に配置されたゲートドライバーＩＣ(ＧＤ１、ＧＤ２)に印加されてピクセルアレイ２１０を駆動させる。
【００１８】
前述したように従来は、ソースドライバーＩＣに印加される信号の大部分はディスプレイパネルの左側から供給され、ディスプレイパネルの垂直方向を制御するゲートドライバーＩＣもディスプレイパネルの左側に配置されていた。したがって、２種類のドライバーＩＣに信号の送受信通路になるメタルラインが一側、すなわちディスプレイパネルの左に集中するため、ディスプレイパネルの左側下端の空間が相当に必要になった。反面、垂直下端方向で増加する左側の空間と一致させるためにディスプレイパネルの右側下端には大きな空き空間が避けることができなくなった。
【００１９】
本発明では図２に示すように、ゲートドライバーＩＣをディスプレイパネルの右側に配置して、ドライバーＩＣの信号供給通路になるメタルラインを分散させることで、ディスプレイパネル用ＬＣＭに消費するレイアウトを減少させることができる。また、伝達するデータの間の対称性も確保することができるし、同時に並列で進行する複数のデータ信号の間の信号干渉(cross-talk)も最小化させることができる効果を併せて有するようになる。
【００２０】
図２を参照すれば、本発明は、ソースドライバーＩＣに供給されるメタルラインが配置された所(左側の点線円)とゲートドライバーＩＣに供給されるメタルラインが配置された所(右側の点線円)で分離させることで、従来は使わなかった空間(図１の右側空間)を使用して、空間の使用効率を増加させるだけでなく、全体レイアウトも減少させることができる。
【００２１】
ソースドライバーＩＣに供給される信号を左側に配置されたソースドライバーＩＣに先ず供給して、これを右側に配置されたソースドライバーＩＣにカスケード形式で伝達することが一般的であるが、反対に右側から左に伝達することも可能である。この場合、本発明を修正してゲートドライバーＩＣをディスプレイパネルの左側に配置して、その代わりにソースドライバーＩＣに信号を供給するメタルラインを左側ではない右側から駆動させさえすればよい。図２を参照すれば、ＦＰＣが２個２３０、２４０に示されているが、１個のＦＰＣを利用することだけではなく、２個以上のＦＰＣを利用することも可能である。
【００２２】
図面には明らかに認識することができないが、電源及びディスプレイと関連する信号は、ＬＯＧ(Line On Glass)を通じてＦＰＣを経て該当ドライバーＩＣに伝達される。また、ソースドライバーＩＣに印加されるガンマ信号及び制御信号(ＧＡＭ/ＣＯＮ)は、図１及び図２にはバス(Bus)形態に供給されるものとして示されているものの、実際は該当ＦＰＣからそれぞれ直接受信される。したがって、このような特性のためにレイアウトで占める比重がさらに増加するようになる。
【００２３】
図２には、ソースドライバーＩＣがピクセルアレイの下部に配置されることのように示されているが、ピクセルアレイの上部にソースドライバーＩＣが配置されることも可能である。
【００２４】
本発明は、硝子基板の上部にチップを設置するＣＯＧ技術をＬＣＭに適用する時使用することに好適なものとして、ソースドライバーＩＣ(Source Driver ＩＣ)とゲートドライバーＩＣ(Gate Driver ＩＣ)に供給される制御信号の全体または一部と電力が供給されているメタルラインの全体または一部を分散配置することで、全体的にパネル(Panel)設計の効率を極大化させる。
【００２５】
以上、本発明に対する技術思想を添付図面と共に敍述したが、これは本発明の望ましい実施例を例示的に説明したものであって、本発明を限定するものではない。また、本発明が属する技術分野で通常の知識を持った者なら誰も本発明の技術的思想の範疇を離脱しない範囲内で多様な変形及び模倣が可能であることは明白な事実である。
【符号の説明】
【００２６】
２００  ディスプレイパネル用ＬＣＭ
２２０  ディスプレイパネル
２３０、２４０  ＦＰＣ
２５０  タイミングコントローラー
【図１】
2011528812.tif 000003
【図２】
2011528812.tif 000004
【国際調査報告】
2011528812.tif 000005
2011528812.tif 000006
2011528812.tif 000007
2011528812.tif 000008